(57)【要約】【課題】コピーディスクのみならず、ハードディスク上に作成されたディスクイメージに関しても、オリジナル／コピーを判別できる。【解決手段】キーデータ１０４の記録区間でＤＳＶが収束するような通常のＤＳＶ制御が行われ、ダミーデータ１０３の記録区間でＤＳＶが０に収束している状態から正のある値にまで上昇するように変化される。ダミーデータを含んでキーデータを読み出す読み出し方法Ａの読み出し結果は、誤り区間Ｘのために、キーデータの読み出し結果がＮＧとなり、ダミーデータを含まないでキーデータを読み出すと読み出し結果がＯＫとなる。コピーディスクの場合では、読み出し方法Ａによる読み出し結果がＯＫとなり、読み出し方法Ｂの読み出し結果もＯＫとなる。ディスクイメージにおいて、キーデータは、最初にディスクから再生された時の状態に依存して、二つの読み出し結果が共にＮＧ、または共にＯＫとなる。【選択図】  図６
2004152372.tif 000002
【特許請求の範囲】
【請求項１】
所定ビット数のデータシンボルをより多いビット数のコードシンボルに変換することによって、ランレングスが制約された記録データを生成するディジタル変調方式を使用してディジタルデータが記録されるデータ記録媒体であって、
予め指定した部分に、ディジタル変調方式の変調規則に違反し、且つ誤った読み出し結果を生じさせる程度、ＤＳＶが変化した第１のデータが記録され、
上記第１のデータの後に、ＤＳＶが略一定の第２のデータが記録されているデータ記録媒体。
【請求項２】
請求項１において、
コピー判別法のアプリケーションソフトウェアの第３のデータがさらに記録されているデータ記録媒体。
【請求項３】
請求項１において、
読み出し専用であるデータ記録媒体。
【請求項４】
請求項１において、
上記第１のデータがＤＳＶの上昇変化を生じるように制御されたデータであるデータ記録媒体。
【請求項５】
請求項１において、
上記第１のデータがＤＳＶの下降変化を生じるように制御されたデータであるデータ記録媒体。
【請求項６】
請求項１において、
上記第１のデータがＤＳＶの上昇変化と下降変化を交互に生じるように制御されたデータであるデータ記録媒体。
【請求項７】
所定ビット数のデータシンボルをより多いビット数のコードシンボルに変換することによって、ランレングスが制約された記録データを生成するディジタル変調方式を使用してディジタルデータを記録するデータ記録方法であって、
予め指定した部分に、ディジタル変調方式の変調規則に違反し、且つ誤った読み出し結果を生じさせる程度、ＤＳＶが変化した第１のデータを記録し、
上記第１のデータの後に、ＤＳＶが略一定の第２のデータを記録するデータ記録方法。
【請求項８】
請求項７において、
コピー判別法のアプリケーションソフトウェアの第３のデータをさらに記録するデータ記録方法。
【請求項９】
請求項７において、
読み出し専用ディスクの原盤を作成するためのデータ記録方法。
【請求項１０】
請求項７において、
上記第１のデータがＤＳＶの上昇変化を生じるように制御されたデータであるデータ記録方法。
【請求項１１】
請求項７において、
上記第１のデータがＤＳＶの下降変化を生じるように制御されたデータであるデータ記録方法。
【請求項１２】
請求項７において、
上記第１のデータがＤＳＶの上昇変化と下降変化を交互に生じるように制御されたデータであるデータ記録方法。
【請求項１３】
所定ビット数のデータシンボルをより多いビット数のコードシンボルに変換することによって、ランレングスが制約された記録データを生成するディジタル変調方式を使用してディジタルデータを記録するデータ記録装置であって、
予め指定した部分に、ディジタル変調方式の変調規則に違反し、且つ誤った読み出し結果を生じさせる程度、ＤＳＶが変化した第１のデータを記録し、
上記第１のデータの後に、ＤＳＶが略一定の第２のデータを記録するデータ記録装置。
【請求項１４】
オリジナルのデータ記録媒体では、予め指定した部分に、ディジタル変調方式の変調規則に違反し、且つ誤った読み出し結果を生じさせる程度、ＤＳＶが変化する第１のデータが記録され、上記第１のデータの後に、ＤＳＶが略一定の第２のデータが記録されていることを利用するコピー判別方法において、
上記第１のデータを含んで上記第２のデータを読み出し、上記第２のデータに対する第１の読み出し結果を得るステップと、
上記第１のデータを含まないで上記第２のデータを読み出し、上記第２のデータに対する第２の読み出し結果とを得るステップと、
上記第１および第２の読み出し結果からオリジナルか、コピーかの判定を行うステップとからなり、
上記第１の読み出し結果が誤りであり、上記第２の読み出し結果が正しい場合にのみ、オリジナルと判定するコピー判別方法。
【請求項１５】
オリジナルのデータ記録媒体では、予め指定した部分に、ディジタル変調方式の変調規則に違反し、且つ誤った読み出し結果を生じさせる程度、ＤＳＶが変化する第１のデータが記録され、上記第１のデータの後に、ＤＳＶが略一定の第２のデータが記録されていることを利用するコピー判別方法をコンピュータに実行させるプログラムにおいて、
上記第１のデータを含んで上記第２のデータを読み出し、上記第２のデータに対する第１の読み出し結果を得るステップと、
上記第１のデータを含まないで上記第２のデータを読み出し、上記第２のデータに対する第２の読み出し結果とを得るステップと、
上記第１および第２の読み出し結果からオリジナルか、コピーかの判定を行うステップとからなり、
上記第１の読み出し結果が誤りであり、上記第２の読み出し結果が正しい場合にのみ、オリジナルと判定するコピー判別方法のプログラム。
【請求項１６】
オリジナルのデータ記録媒体では、予め指定した部分に、ディジタル変調方式の変調規則に違反し、且つ誤った読み出し結果を生じさせる程度、ＤＳＶが変化する第１のデータが記録され、上記第１のデータの後に、ＤＳＶが略一定の第２のデータが記録されていることを利用するコピー判別方法をコンピュータに実行させるプログラムにおいて、
上記第１のデータを含んで上記第２のデータを読み出し、上記第２のデータに対する第１の読み出し結果を得るステップと、
上記第１のデータを含まないで上記第２のデータを読み出し、上記第２のデータに対する第２の読み出し結果とを得るステップと、
上記第１および第２の読み出し結果からオリジナルか、コピーかの判定を行うステップとからなり、
上記第１の読み出し結果が誤りであり、上記第２の読み出し結果が正しい場合にのみ、オリジナルと判定するコピー判別方法のプログラムを記録したコンピュータ読み取り可能な記録媒体。
【発明の詳細な説明】
【０００１】
【発明の属する技術分野】
この発明は、例えば読み出し専用（ＲＯＭ）タイプの光ディスクに対して適用されるデータ記録媒体、データ記録方法、データ記録装置、コピー判別方法およびコピー判別プログラムに関する。
【０００２】
【従来の技術】
ＣＤ（Ｃｏｍｐａｃｔ  Ｄｉｓｃ  ）やＣＤ−ＲＯＭ（Ｃｏｍｐａｃｔ  Ｄｉｓｃ  Ｒｅａｄ  Ｏｎｌｙ  Ｍｅｍｏｒｙ）  等の光ディスクは、取り扱いが容易で、製造コストも比較的安価なことから、データを保存しておくための記録媒体として、広く普及している。また、近年、データを追記録可能なＣＤ−Ｒ（Ｃｏｍｐａｃｔ  Ｄｉｓｃ  Ｒｅｃｏｒｄａｂｌｅ）ディスクや、データの再記録が可能なＣＤ−ＲＷ（Ｃｏｍｐａｃｔ  Ｄｉｓｃ  ＲｅＷｒｉｔａｂｌｅ）ディスクが登場してきており、このような光ディスクにデータを記録することも簡単に行えるようになってきてきる。このことから、ＣＤ−ＤＡディスクや、ＣＤ−ＲＯＭディスク、ＣＤ−Ｒディスク、ＣＤ−ＲＷディスク等、ＣＤ規格に準拠した光ディスクは、データ記録媒体の中核となってきている。更に、近年、ＭＰ３（ＭＰＥＧ１  Ａｕｄｉｏ  Ｌａｙｅｒ−３  ）やＡＴＲＡＣ（Ａｄａｐｔｉｖｅ  ＴＲａｎｓｆｏｒｍ  Ａｃｏｕｓｔｉｃ  Ｃｏｄｉｎｇ）  ３でオーディオデータを圧縮して、ＣＤ−ＲＯＭディスクやＣＤ−Ｒディスク、ＣＤ−ＲＷディスク等に記録することが行われている。
【０００３】
ところが、ＣＤ−ＲディスクやＣＤ−ＲＷ（Ｃｏｍｐａｃｔ  Ｄｉｓｃ  ＲｅＷｒｉｔａｂｌｅ）ディスクの登場により、ＣＤのディスクに記録されているデータは簡単にコピーできるようになってきている。このため、著作権の保護の問題が生じてきており、ＣＤのディスクにコンテンツデータを記録する際に、コンテンツデータを保護するための対策を講じる必要性がある。
【０００４】
図９は、コピーの流れを概略的に示すものである。参照符号４１で示す再生装置によって、オリジナルのディスク例えばＣＤ４２を再生する。参照符号４３が光ピックアップであり、参照符号４４が再生信号処理部である。そして、再生装置４１からの再生データを記録装置５１の記録処理部５２に供給し、光ピックアップ５３によって光ディスク例えばＣＤ−Ｒ５４に対して記録する。ＣＤ−Ｒ５４には、オリジナルのＣＤ４２の記録内容がコピーされる。このように再生装置４１と記録装置５１とを使用して容易にオリジナルのＣＤ４２のコピーディスクが作成できる。
【０００５】
ＣＤの場合では、再生処理部４４は、図１０に示すように、入力端子４５からの再生信号からシンク検出部４６によってフレームシンクを検出し、ＥＦＭ復調器４７によってＥＦＭ（ｅｉｇｈｔ  ｔｏ  ｆｏｕｒｔｅｅｎ  ｍｏｄｕｌａｔｉｏｎ）の復調を行い、さらに、ＥＦＭ復調された再生データがＣＩＲＣ（Ｃｒｏｓｓ  Ｉｎｔｅｒｌｅａｖｅ  Ｒｅｅｄ−Ｓｏｌｏｍｏｎ  Ｃｏｄｅ）デコーダ４８に供給され、ＣＩＲＣデコーダ４８において、エラー訂正がなれる。ＥＦＭでは、各シンボル（８データビット）が１４チャンネルビットへ変換され、１４チャンネルビット同士の間に３ビットのマージビットが追加される。また、サブコードデコーダ４９によって再生データ中のサブコードが復号され、再生サブコードが得られる。
【０００６】
図１１は、記録処理部５２の概略的構成を示す。記録すべきデータが入力端子５５からＣＩＲＣエンコーダ５６に供給され、ＣＩＲＣの符号化の処理を受ける。また、サブコードが入力端子５７からサブコードエンコーダ５８に供給され、サブコードのフォーマットに変換される。ＣＩＲＣエンコーダ５６の出力およびサブコードエンコーダ５８の出力がマルチプレクサ６０に供給される。マルチプレクサ６０には、さらに、入力端子５９からフレームシンクが供給される。マルチプレクサ６０によってこれらのデータが所定の順序で配列され、マルチプレクサ６０の出力がＥＦＭ変調器６１に供給され、ＥＦＭ変調の処理を受ける。
【０００７】
上述したコピー処理によって、オリジナルのＣＤからコピーディスクを作成することを防ぐ方法の１つが下記の特許文献１に記載されている。
【０００８】
【特許文献１】
特開平９−２８８８６４号公報
【０００９】
この特許文献１には、オリジナルのディスクを作成するための特殊なエンコーダによって符号化した場合には、ＤＳＶ（Ｄｉｇｉｔａｌ  Ｓｕｍ  Ｖａｒｉａｔｉｏｎ）  が収束し、オリジナルディスクからの再生データを正常に読み取ることができる特定のパターンのデータを使用することが記載されている。すなわち、オリジナルディスクの再生データを標準的エンコーダによって再符号化してコピーディスクを作成した場合には、特定のパターンのデータの部分でＤＳＶが大きく累積し、アナログ再生回路がＤＳＶの偏りに影響されて正常に再生データを読み取ることができない。上述したように、オリジナルディスクのコピーは、記録処理部５２において、標準のエンコーダによる再符号化を伴うので、オリジナルディスクに記録されているデータに対して上述した処理が施されていれば、コピーディスク５４を再生した場合には、正常にデータを読み取れず、実質的にコピーを防止することができる。
【００１０】
【発明が解決しようとする課題】
上述したコピー防止方法は、標準エンコーダによって特定のデータが再符号化されて記録されたコピーディスクを再生する時に、ＤＳＶの大きな累積が発生し、その結果、データの読み取りエラーが発生することを利用したものであり、実際にコピーディスクを作成する場合に効果がある。しかしながら、実際のディスク例えばＣＤ−ＲＯＭのデータを丸ごとハードディスクあるいはサーバに取り込むことによって、ディスクイメージを作成し、恰もＣＤ−ＲＯＭドライブおよびディスクが存在しているかのように、エミュレートを行うソフトウェアが流通している。このソフトウェアによれば、本物のディスクドライブを使用しないで、アプリケーションソフトウェア等のＣＤ−ＲＯＭデータを利用することが可能となる。つまり、オリジナルのＣＤ−ＲＯＭから正しくデータを読み出し、そのデータを標準のエンコーダによって再符号化することによってディスクイメージが作成されることになる。このディスクイメージは、コピーディスクと類似のものであり、ディスクイメージを自由に利用できることは好ましくない。しかしながら、エミュレートを行うソフトウェアにおいては、実際のコピーディスクを作成しないので、コピーディスクの再生時にＤＳＶの発散の影響を生じさせる方法は、コピー抑制の効果を発揮できなかった。
【００１１】
したがって、この発明の目的は、書き込み可能なディスクを使用するコピーと、ディスクエミュレーションの両者に対して有効な、データ記録媒体、データ記録方法、データ記録装置、コピー判別方法およびコピー判別プログラムを提供することにある。
【００１２】
【課題を解決するための手段】
上述した課題を解決するために、請求項１の発明は、所定ビット数のデータシンボルをより多いビット数のコードシンボルに変換することによって、ランレングスが制約された記録データを生成するディジタル変調方式を使用してディジタルデータが記録されるデータ記録媒体であって、
予め指定した部分に、ディジタル変調方式の変調規則に違反し、且つ誤った読み出し結果を生じさせる程度、ＤＳＶが変化した第１のデータが記録され、
第１のデータの後に、ＤＳＶが略一定の第２のデータが記録されているデータ記録媒体である。
【００１３】
請求項７の発明は、所定ビット数のデータシンボルをより多いビット数のコードシンボルに変換することによって、ランレングスが制約された記録データを生成するディジタル変調方式を使用してディジタルデータを記録するデータ記録方法であって、
予め指定した部分に、ディジタル変調方式の変調規則に違反し、且つ誤った読み出し結果を生じさせる程度、ＤＳＶが変化した第１のデータを記録し、
第１のデータの後に、ＤＳＶが略一定の第２のデータを記録するデータ記録方法である。
【００１４】
請求項１３の発明は、所定ビット数のデータシンボルをより多いビット数のコードシンボルに変換することによって、ランレングスが制約された記録データを生成するディジタル変調方式を使用してディジタルデータを記録するデータ記録装置であって、
予め指定した部分に、ディジタル変調方式の変調規則に違反し、且つ誤った読み出し結果を生じさせる程度、ＤＳＶが変化した第１のデータを記録し、
第１のデータの後に、ＤＳＶが略一定の第２のデータを記録するデータ記録装置である。
【００１５】
請求項１４の発明は、オリジナルのデータ記録媒体では、予め指定した部分に、ディジタル変調方式の変調規則に違反し、且つ誤った読み出し結果を生じさせる程度、ＤＳＶが変化する第１のデータが記録され、第１のデータの後に、ＤＳＶが略一定の第２のデータが記録されていることを利用するコピー判別方法において、
第１のデータを含んで第２のデータを読み出し、第２のデータに対する第１の読み出し結果を得るステップと、
第１のデータを含まないで第２のデータを読み出し、第２のデータに対する第２の読み出し結果とを得るステップと、
第１および第２の読み出し結果からオリジナルか、コピーかの判定を行うステップとからなり、
第１の読み出し結果が誤りであり、第２の読み出し結果が正しい場合にのみ、オリジナルと判定するコピー判別方法である。
【００１６】
請求項１５の発明は、オリジナルのデータ記録媒体では、予め指定した部分に、ディジタル変調方式の変調規則に違反し、且つ誤った読み出し結果を生じさせる程度、ＤＳＶが変化する第１のデータが記録され、第１のデータの後に、ＤＳＶが略一定の第２のデータが記録されていることを利用するコピー判別方法をコンピュータに実行させるプログラムにおいて、
第１のデータを含んで第２のデータを読み出し、第２のデータに対する第１の読み出し結果を得るステップと、
第１のデータを含まないで第２のデータを読み出し、第２のデータに対する第２の読み出し結果とを得るステップと、
第１および第２の読み出し結果からオリジナルか、コピーかの判定を行うステップとからなり、
第１の読み出し結果が誤りであり、第２の読み出し結果が正しい場合にのみ、オリジナルと判定するコピー判別方法のプログラムである。
【００１７】
請求項１６の発明は、オリジナルのデータ記録媒体では、予め指定した部分に、ディジタル変調方式の変調規則に違反し、且つ誤った読み出し結果を生じさせる程度、ＤＳＶが変化する第１のデータが記録され、第１のデータの後に、ＤＳＶが略一定の第２のデータが記録されていることを利用するコピー判別方法をコンピュータに実行させるプログラムにおいて、
第１のデータを含んで第２のデータを読み出し、第２のデータに対する第１の読み出し結果を得るステップと、
第１のデータを含まないで第２のデータを読み出し、第２のデータに対する第２の読み出し結果とを得るステップと、
第１および第２の読み出し結果からオリジナルか、コピーかの判定を行うステップとからなり、
第１の読み出し結果が誤りであり、第２の読み出し結果が正しい場合にのみ、オリジナルと判定するコピー判別方法のプログラムを記録したコンピュータ読み取り可能な記録媒体である。
【００１８】
この発明では、予め指定した部分に、ＤＳＶが変化する第１のデータが記録され、第１のデータの後に、ＤＳＶが略一定の第２のデータが記録されているデータ記録媒体がオリジナルとされている。第１のデータを含んでの第２のデータに対する第１の読み出し結果が読み出し誤りとなり、第１のデータを含まないで第２のデータを読み出し、第２のデータに対する第２の読み出し結果が正しいものとなる場合のみ、オリジナルと判定する。この判定方法によって、ハードディスク上にディスクイメージを作成するようなエミュレーションの場合であっても、コピーを抑制できる。
【００１９】
【発明の実施の形態】
以下、この発明の一実施形態について説明する。図１は、この発明によるデータ記録媒体を作成するためのマスタリング装置の構成の一例を示す。マスタリング装置は、例えばＡｒイオンレーザ、Ｈｅ−ＣｄレーザやＫｒイオンレーザ等のガスレーザや半導体レーザであるレーザ１と、このレーザ１から出射されたレーザ光を変調する音響光学効果型または電気光学型の光変調器２と、この光変調器２を通過したレーザ光を集光し、感光物質であるフォトレジストが塗布されたディスク状のガラス原盤４のフォトレジスト面に照射する対物レンズ等を有する記録手段である光ピックアップ３を有する。
【００２０】
光変調器２は、記録信号にしたがって、レーザ１からのレーザ光を変調する。そして、マスタリング装置は、この変調されたレーザ光をガラス原盤４に照射することによって、データが記録されたマスタを作成する。また、光ピックアップ３をガラス原盤４との距離が一定に保つように制御したり、トラッキングを制御したり、スピンドルモータ５の回転駆動動作を制御するためのサーボ部（図示せず）が設けられている。ガラス原盤４がスピンドルモータ５によって回転駆動される。
【００２１】
光変調器２には、ＥＦＭ変調器１２からの記録信号がスイッチ回路ＳＷ２を介して供給される。入力端子６からは、記録するメインのディジタルデータが供給される。メインのディジタルデータは、例えばＣＤ−ＲＯＭフォーマットのコンピュータソフトウェアのディジタルデータである。入力端子７からは、現行のＣＤ規格に基づいたチャンネルＰ〜Ｗのサブコードが供給される。さらに、入力端子８からは、フレームシンクが供給される。
【００２２】
メインディジタルデータは、ＣＩＲＣ（Ｃｒｏｓｓ  Ｉｎｔｅｒｌｅａｖｅ  Ｒｅｅｄ−Ｓｏｌｏｍｏｎ  Ｃｏｄｅ）エンコーダ９に供給され、エラー訂正用のパリティデータ等を付加するエラー訂正符号化処理やスクランブル処理が施される。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。入力端子７からのサブコードがサブコードエンコーダ１０にてサブコードのＥＦＭフレームフォーマットを有するサブコードに変換される。
【００２３】
ＣＩＲＣエンコーダ９の出力、サブコードエンコーダ１０の出力およびフレームシンクがマルチプレクサ１１に供給され、所定の順序に配列される。マルチプレクサ１１の出力データがスイッチ回路ＳＷ１の出力端子ａを介してＥＦＭ変調器１２に供給され、変換テーブルにしたがって８ビットのシンボルが１４チャンネルビットのデータへ変換される。また、マルチプレクサ１１の出力がスイッチ回路ＳＷ１の出力端子ｂを介してデータ発生器１３に供給される。データ発生器１３は、オリジナルとコピーの判別のためのデータを発生する。
【００２４】
後述するように、判別用のデータは、ダミーデータおよびキーデータが連続して配列されたデータである。判別用データの記録位置は、固定したもので、既知とされている。ダミーデータおよびキーデータは、それぞれ所定の長さの既知のデータである。データ発生器１３は、ダミーデータおよびキーデータを発生する。これらのデータは、主たるデータと同様に、ＣＩＲＣおよびＥＦＭ変調の処理をランダムデータに対して施すことによって生成されたものである。但し、ダミーデータの記録区間では、累積ＤＳＶが０に収束している状態から正のある値にまで上昇するように変化される。キーデータの記録区間では、累積ＤＳＶが収束するような通常のＤＳＶ制御が行われている。このようなダミーデータおよびキーデータを予め生成し、データ発生器１３のメモリに記憶しておくようになされる。
【００２５】
ＥＦＭ変調器１２の出力がスイッチ回路ＳＷ２の入力端子ｃに供給され、データ発生器１３の出力がスイッチ回路ＳＷ２の入力端子ｄに供給され、スイッチ回路ＳＷ２で選択されたデータが光変調器２に供給される。データ発生器１３が制御部１４で生成されたメモリコントロール信号によって制御される。スイッチ回路ＳＷ１およびＳＷ２は、制御部１４で形成されたコントロール信号によって制御される。
【００２６】
アプリケーションソフトウェアのデータ等の主たるデータを記録する区間では、スイッチ回路ＳＷ１の出力端子ａとスイッチ回路ＳＷ２の入力端子ｃとが選択され、通常のＥＦＭ変調の処理がされた記録データが光変調器２に供給される。また、判別用のデータを記録する区間では、スイッチ回路ＳＷ１の出力端子ｂとスイッチ回路ＳＷ２の入力端子ｄとが選択され、データ発生器１３から発生した判別用データ（ダミーデータおよびキーデータ）が光変調器２に対して供給される。データ発生器１３は、制御部１からのコントロール信号によって、スイッチ回路ＳＷ１およびＳＷ２の切替と同期して判別用データを出力するように制御される。スイッチ回路ＳＷ１およびＳＷ２の一方を省略しても良い。
【００２７】
ＥＦＭ変調器１２からＣＤのＥＦＭフレームフォーマットの記録信号が発生する。この記録信号が光変調器２に供給され、光変調器２からの変調されたレーザビームによってガラス原盤４上のフォトレジストが露光される。このように記録がなされたガラス原盤４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。
【００２８】
図２は、ＣＤ、ＣＤ−ＲＯＭ等のＣＤフォーマットにおける１ＥＦＭフレームのデータ構成を示す。ＣＤフォーマットでは、メインディジタルデータの２４シンボルから各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのメインデータと、４シンボルのＱパリティと、４シンボルのＰパリティとからなる３３シンボルが含まれる。
【００２９】
ＥＦＭ変調方式では、各シンボル（８データビット）が１４チャンネルビットへ変換される。ＥＦＭ変調の最小時間幅（記録信号の１と１との間の０の数が最小となる時間幅）Ｔｍｉｎ  が３Ｔであり、３Ｔに相当するピット長が０．８７μｍとなる。Ｔに相当するピット長が最短ピット長である。また、各１４チャンネルビットの間には、３ビットのマージビット（結合ビットとも称される）が配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１ＥＦＭフレームは、総ビット数が５８８チャンネルビットからなるものである。フレーム周波数は、７．３５ｋＨｚとされている。
【００３０】
このようなＥＦＭフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００３１】
このサブコード部は、９８個のＥＦＭフレームから形成される。サブコード部における先頭の２フレームは、それぞれ、サブコードフレームの同期パターンであるとともに、ＥＦＭのアウトオブルール（ｏｕｔ  ｏｆ  ｒｕｌｅ）のパターンである。また、サブコード部における各ビットは、それぞれ、Ｐ，Ｑ，Ｒ，Ｓ，Ｔ，Ｕ，Ｖ，Ｗチャンネルを構成する。
【００３２】
図３は、上述したマスタリングおよびスタンピングによって作成された光ディスクを再生する再生装置の構成の一例を示す。再生装置は、既存のプレーヤ、ドライブと同一の構成であるが、この発明の理解の参考のために以下に説明する。図３において、参照符号２１がマスタリング、スタンピングの工程で作成されたディスクを示す。参照符号２２がディスク２１を回転駆動するスピンドルモータであり、２３がディスク２１に記録された信号を再生するための光ピックアップである。光ピックアップ２３は、レーザ光をディスク２１に照射する半導体レーザ、対物レンズ等の光学系、ディスク２１からの戻り光を受光するディテクタ、フォーカスおよびトラッキング機構等からなる。さらに、光ピックアップ２３は、スレッド機構（図示しない）によって、ディスク２１の径方向に送られる。
【００３３】
光ピックアップ２３の例えば４分割ディテクタからの出力信号がＲＦ部２４に供給される。ＲＦ部２４は、アシンメトリ補正装置を有し、再生ＲＦ信号を２値化する。また、ＲＦ部２４は、４分割ディテクタの各ディテクタの出力信号を演算することによって、再生（ＲＦ）信号、フォーカスエラー信号、トラッキングエラー信号を生成する。再生信号がシンク検出部２５に供給される。シンク検出部２５は、各ＥＦＭフレームの先頭に付加されているフレームシンクを検出する。検出されたフレームシンク、フォーカスエラー信号、トラッキングエラー信号がサーボ部２６に供給される。サーボ部２６は、ＲＦ信号の再生クロックに基づいてスピンドルモータ２２の回転動作を制御したり、光ピックアップ２３のフォーカスサーボ、トラッキングサーボを制御する。
【００３４】
フレームシンク検出部２５から出力されるメインデータがＥＦＭ復調器２７に供給され、ＥＦＭ復調の処理を受ける。ＥＦＭ復調器２７からのメインディジタルデータは、ＣＩＲＣデコーダ２８に供給され、エラー訂正の処理を受ける。さらに、補間回路２９によって補間され、出力端子３０に再生データとして取り出される。ＥＦＭ復調器２７からのサブコードデータがシステムコントローラ３２に供給される。
【００３５】
システムコントローラ３２は、マイクロコンピュータによって構成されており、再生装置全体の動作を制御する。システムコントローラ３２と関連して、操作ボタンおよび表示部３３が設けられている。システムコントローラ３２は、ディジタル２１の所望の位置にアクセスするために、サーボ部２６を制御するようになされている。
【００３６】
図４は、ＥＦＭ変調器１２における８ビットのデータビット（適宜データシンボルと称する）を１４ビットのチャンネルビット（適宜コードシンボルと称する）へ変換する規則を示す変換テーブルの一部である。図４では、データビットが１６進表記（００〜ＦＦ）と、１０進表記（０〜２５５）と、２進表記とで示されている。また、コードシンボルの１４ビット中の”１”  は、値が反転する位置を示している。データシンボルが８ビットであるので、２５６通りのコードシンボルのパターンが存在する。１４ビットのコードシンボルの全ては、最小時間幅（記録信号の１と１との間の０の数が最小となる時間幅）Ｔｍｉｎが３Ｔであり、最大時間幅（記録信号の１と１との間の０の数が最大となる時間幅）Ｔｍａｘが１１ＴであるＥＦＭの規則（以下、適宜ランレングスリミット条件と呼ぶ）を満たしている。
【００３７】
１４ビットのコードシンボル同士を接続する場合でも、上述したＴｍｉｎ＝３Ｔ、Ｔｍａｘ＝１１Ｔのランレングスリミット条件を満たすためにマージビットが必要とされる。マージビットとして、（０００）、（００１），（０１０），（１００）の４種類のパターンが用意されている。１４ビット同士の接続のためにマージビットが使用される一例について図５を参照して説明する。なお、以下の例は、「コンパクトディスク読本（改定３版）」（平成１３年３月２５日、オーム社発行）に記載されているものである。
【００３８】
図５Ａに示すように、前の１４ビットのパターンが（０１０）で終わり、次のデータシンボルが（０１１１０１１１）（１６進表記では、７７、１０進表記では、１１９）の場合を考える。このデータシンボルは、１４ビットのパターン（００１０００１０００００１０）に変換される。タイミングｔ０で前の１４ビットのパターンが終わり、マージビットの間隔の後のタイミングｔ１で次の１４ビットのパターンが始まり、タイミングｔ２  で次の１４ビットのパターンが終わるものとしている。
【００３９】
上述した４種類のマージビットとして、（１００）を適用した場合では、Ｔｍｉｎ＝３Ｔという条件が満たさなくなるので、このマージビットは、使用されない。後の３個のマージビットは、使用可能である。３個のマージビットの内で実際に使用するマージビットとして、ＤＳＶを減少させるものが選択される。ＤＳＶは、波形がハイレベルであれば＋１を与え、波形がローレベルであれば、−１を与えることで求められるものである。一例として、タイミングｔ０におけるＤＳＶが（−３）であると仮定する。
【００４０】
図５Ｂは、マージビットとして（０００）を使用した場合の波形を示す。期間（ｔ０−ｔ１）のＤＳＶが＋３であり、期間（ｔ１−ｔ２）のＤＳＶが＋２であるので、タイミングｔ２  におけるＤＳＶは、（−３＋３＋２＝＋２）となる。図５Ｃは、マージビットとして（０１０）を使用した場合の波形を示す。期間（ｔ０−ｔ１）のＤＳＶが−１であり、期間（ｔ１−ｔ２）のＤＳＶが−２であるので、タイミングｔ２  におけるＤＳＶは、（−３−１−２＝−６）となる。図５Ｄは、マージビットとして（００１）を使用した場合の波形を示す。期間（ｔ０−ｔ１）のＤＳＶが＋１であり、期間（ｔ１−ｔ２）のＤＳＶが−２であるので、タイミングｔ２  におけるＤＳＶは、（−３＋１−２＝−４）となる。結局、タイミングｔ２におけるＤＳＶが最も０に近くなるマージビット（０００）が選択される。
【００４１】
マージビット選択部は、ＥＦＭ変調器１２（図１参照）内に備えられており、上述したように、マージビット選択部は、ＥＦＭ変調のランレングスリミット条件である、Ｔｍｉｎ＝３、Ｔｍａｘ＝１１を満たすマージビットを選択し、その中で、ＤＳＶを収束させるものを選択している。
【００４２】
データ発生器１３が発生するオリジナル／コピー判別用データに含まれるダミーデータは、上述したＥＦＭ変調のランレングスリミット条件を満たすマージビットの中で、累積のＤＳＶを正方向に増加させるものである。一方、ダミーデータに続くキーデータは、累積のＤＳＶを平均的に一定の値に保持するものである。
【００４３】
この発明の一実施形態におけるオリジナルディスクの製作について、ＣＤ−ＲＯＭを例にしてさらに説明する。図６Ａは、オリジナルディスクに記録されているデータの内容を示す。例えば再生される順序にしたがって、コピー判別方法を実施するためのアプリケーションのデータ１０１、本来の目的物であるアプリケーションデータ１０２、ダミーデータ１０３およびキーデータ１０４が順番に記録されている。アプリケーションデータ１０２は、コピーされることを防止したいアプリケーションソフトウェアのデータである。アプリケーションデータ１０２は、他のデータに比較してデータ長が非常に長いものであるが、図６では、簡単のために短いデータとして表されている。
【００４４】
これらのデータ１０１〜１０４のそれぞれのディスク上の記録位置は、固定したもので、既知とされている。ダミーデータ１０３およびキーデータ１０４は、それぞれ所定の長さ例えば１サブコードフレーム（９８ＥＦＭフレーム）の長さの既知のデータであり、ダミーデータ１０３に対してキーデータ１０４が連続して記録されている。ダミーデータ１０３およびキーデータ１０４は、データ発生器１３によって生成される。
【００４５】
図６Ｂは、ディスクに記録されたデータのＤＳＶ値を示している。言い換えると、オリジナルディスク製作時の累積ＤＳＶの目標値を示す。実線１０５は、オリジナルディスクに記録されたＥＦＭ変調データのＤＳＶの変化を模式的に示し、点線１０６は、オリジナルディスク製作時の累積ＤＳＶの目標値を示している。コピー判別アプリケーションのデータ１０１およびアプリケーションデータ１０２の記録区間では、ＥＦＭ変調とマージビットの選択とによって、累積ＤＳＶが０に収束するような通常のＤＳＶ制御が行われている。さらに、キーデータ１０４の記録区間でも、累積ＤＳＶが収束するような通常のＤＳＶ制御が行われている。
【００４６】
一方、ダミーデータ１０３の記録区間では、累積ＤＳＶが概ね点線１０６で示すように、０に収束している状態から正のある値にまで上昇するように変化される。このようなＤＳＶを制御する方法は、ＥＦＭ変調時におけるマージビットの選択を選択することによってなしうる。キーデータ１０４の記録区間では、ダミーデータ１０３の記録区間で上昇した後のＤＳＶの値例えば＋１００を保つように、制御される。例えば累積ＤＳＶの値の＋１００を０とみなして、以降のＥＦＭ変調を行う。このようにして、図６Ｂにおける点線１０６で示すように、ＤＳＶが制御されたデータが記録されたオリジナルディスクを作成することができる。
【００４７】
次に、図６Ｂに示すように、ＤＳＶが制御されたオリジナルディスクを再生する時になされるコピー判別方法について説明する。図７は、コピー判別用アプリケーションデータ１０１による判別方法の処理の流れを示す。この処理は、一例として、本来のアプリケーションソフトウェアをインストールする時、本来のアプリケーションソフトウェアを起動した直後等に実行される。
【００４８】
最初に、方法Ａによる読み出しが実行され、キーデータに対する第１の読み出し結果の良否の情報が保存される（ステップＳ１）。読み出し方法Ａは、図６Ｃに示すように、ダミーデータ１０３の記録位置の直前Ｐａに読み出し位置をシークさせ、そこからキーデータ１０４までの範囲Ｒａを連続して読み出す方法である。
【００４９】
次に、ステップＳ２において、方法Ｂによる読み出しが実行され、キーデータに対する第２の読み出し結果の良否の情報が保存される。読み出し方法Ｂは、図６Ｃに示すように、キーデータ１０４の記録位置の直前Ｐｂに読み出し位置をシークさせ、そこからキーデータ１０４の範囲Ｒｂを連続して読み出す方法である。オリジナルディスクの場合では、ダミーデータ１０３の記録区間では、ＤＳＶが上昇しているので、読み出し時に区間Ｘが誤り区間となる。誤り区間は、読み取り不能と判断されたり、訂正不可能な誤りが発生する区間である。なお、読み出し方法ＡおよびＢは、コピーディスクまたはハードディスク等に作成されたディスクイメージに対しても同様に適用される。
【００５０】
ここで、誤り区間Ｘがダミーデータ１０３の再生開始時点より遅れた時点で開始し、ダミーデータ１０３の終了時点よりやや遅れた時点、すなわち、キーデータ１０４の再生開始時点より後側で終了する。このように、誤り区間Ｘがダミーデータ１０３に対してやや遅れた位相を持つのは、ディスク再生装置に時定数を有するアシンメトリ補正装置が設けられているからである。アシンメトリは、ディスク上の全ピットが正規の長さに対して一定量のずれを持つ現象である。アシンメトリ補正装置は、ＥＦＭの信号自体の直流分が０であること、ランレングスが３Ｔ〜１１Ｔの範囲に制限されていることを利用して、再生ＲＦ信号のアイパターンの中心を検出し、検出した中心でもってＲＦ信号を２値化し、アシンメトリの影響を除去するものである。
【００５１】
ステップＳ３では、読み出し方法Ａによるキーデータに対する読み出し結果の良否の情報と、読み出し方法Ｂによるキーデータに対する読み出し結果の良否の情報とから、テーブルを参照してオリジナルか、コピーかを判定し、判定結果に応じて処理を分岐させる。すなわち、オリジナルと判定されると、オリジナル処理（Ｓ４）がなされ、コピーと判定されると、コピー処理（Ｓ５）がなされる。例えばオリジナル処理（Ｓ４）では、ディスク再生が行われ、再生されたアプリケーションソフトウェアのインストール処理、起動処理等がなされる。コピー処理（Ｓ５）では、例えばコピーディスクからのソフトウェアのインストールが禁止され、メッセージが表示される。また、ハードディスク上に作成されたディスクイメージのアプリケーションの起動が禁止され、メッセージが表示される。
【００５２】
ここで、オリジナルとは、オリジナルディスクを再生した場合の再生データを意味する。一方、コピーとは、オリジナルディスクからＣＤ−Ｒ等の記録可能なディスクへコピーを行ったコピーディスクを再生して得られるデータと、エミュレーションによって、ハードディスク上またはサーバ上に取り込まれたデータとを意味する。
【００５３】
図８は、ステップＳ３において参照されるテーブルの一例である。図８において、ＯＫがキーデータに誤りが無いか、誤りがあっても誤り訂正符号で訂正された読み出し結果が得られることを表しており、ＮＧが読み取り不能、または訂正不可能な誤りの読み出し結果を表している。
【００５４】
テーブルの最も上の行は、方法Ａによる読み出し結果がＮＧで、方法Ｂによる読み出し結果がＯＫの場合を示し、この場合には、オリジナルと判定される。すなわち、図６Ｃを参照して説明したように、方法Ａでは、キーデータの記録区間にまで波及する誤り区間Ｘが発生するので、ＮＧの読み出し結果となり、一方、方法Ｂでは、ＤＳＶがほぼ一定のキーデータのみが読み取られるので、ＯＫの読み出し結果が得られる。
【００５５】
テーブルの２番目の行は、方法Ａおよび方法Ｂによる読み出し結果が共にＯＫの場合を示し、この場合には、コピーと判定される。オリジナルディスクを再生し、再生データをデコーダによって復号し、復号したデータを標準のエンコーダで再符号化してＣＤ−Ｒに記録することによってコピーディスクが作成される。コピーディスク上のダミーデータの記録区間において、オリジナルディスクと異なり、ＤＳＶが発散するように変化しない。したがって、コピーディスクに対して、読み出し方法Ａによるキーデータの読み出し結果がＯＫとなる。また、誤り区間Ｘが発生しないので、読み出し方法Ｂの読み出し結果もＯＫとなる。これらの読み出し結果から、再生したディスクがコピーディスクと判定される。
【００５６】
テーブルの２番目の行は、方法Ａおよび方法Ｂによる読み出し結果が共にＮＧの場合を示し、この場合も、コピーと判定される。ハードディスク上にディスクイメージを作成するエミュレーションの場合、ハードディスク上のディスクイメージを読み出す動作では、読み出されるデータは、ディスクイメージが作成された時のデータである。
【００５７】
したがって、コピーディスクからディスクイメージを作成する場合のように、イメージ作成時にキーデータが正常に読み出された場合には、読み出し方法Ａによる読み出し結果と、読み出し方法Ｂによる読み出し結果とが共に正常なキーデータを取得できる。逆に、オリジナルディスクからディスクイメージを作成する場合のように、キーデータに読み取り不能やデータ誤りが発生した場合では、読み出し方法Ａによる読み出し結果と、読み出し方法Ｂによる読み出し結果とが共にＮＧとなる。
【００５８】
以上のように、読み出し方法Ａによる読み出し結果がＮＧで、読み出し方法Ｂによる読み出し結果がＯＫの場合のみがオリジナルと判定され、それ以外の場合は、全てコピーと判定される。
【００５９】
この発明は、上述したこの発明の一実施形態等に限定されるものでは無く、この発明の要旨を逸脱しない範囲内で様々な変形や応用が可能である。例えば上述した一実施形態では、読み出し方法Ａを行ってから読み出し方法Ｂを行っているが、逆の順序で読み出し方法ＡおよびＢを行うようにしても良い。また、ダミーデータおよびキーデータを予め作成しておく方法以外に、ＥＦＭ変調におけるマージビットの選択処理をダミーデータの区間で通常の選択処理と異ならせ、それによって、ＤＳＶが変化するデータを生成しても良い。さらに、ＤＳＶの変化としては、一実施形態のように、増加する例に限らず、負方向に減少する変化、またはＤＳＶが増加する区間とＤＳＶが減少する区間とが連続する変化を使用しても良い。
【００６０】
さらに、ＥＦＭ以外の変調方式としてＥＦＭＰｌｕｓに対してもこの発明を適用することができる。ＥＦＭＰｌｕｓでは、８ビットのデータシンボルを１６ビットのコードシンボルに変換するもので、マージビットを使用しないものである。ＥＦＭＰｌｕｓの場合でも、ＤＳＶが所望の変化を持つような判別用データを記録することができる。
【００６１】
この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、およびコンピュータプログラム等の種々のデータが可能である。この発明は、例えばＤＶＤビデオ、ＤＶＤ−ＲＯＭに対しても適用できる。さらに、円板状に限らずカード状のデータ記録媒体に対してもこの発明を適用できる。
【００６２】
【発明の効果】
以上の説明から明らかなように、この発明によれば、オリジナルをＣＤ−Ｒ等の記録可能な媒体にコピーしたコピーディスクのみならず、エミュレートを行うソフトウェアによって、ハードディスク上にディスクイメージを作成する場合にも、オリジナルか、コピーかの判別を行うことができる。この発明は、オリジナルの媒体に対して意図的に欠陥を挿入するものではないので、フォーマット規格としても採用できる。
【図面の簡単な説明】
【図１】この発明の一実施形態であるマスタリング装置の構成の一例を示すブロック図である。
【図２】ＣＤのＥＦＭフレームフォーマットを説明するための略線図である。
【図３】ＣＤの再生装置の構成を示すブロック図である。
【図４】ＥＦＭ変換テーブルの一部を示す略線図である。
【図５】マージビットの選択方法を説明するための略線図である。
【図６】この発明により作成されたオリジナルディスク上のデータの配列とＤＳＶの変化の一例を示す略線図である。
【図７】この発明によるオリジナル／コピー判定方法の一例を説明するためのフローチャートである。
【図８】判定方法において参照されるテーブルの一例を示す略線図である。
【図９】ディスクのコピーの流れを説明するブロック図である。
【図１０】従来の再生処理部の概略を示すブロック図である。
【図１１】従来の記録処理部の概略を示すブロック図である。
【符号の説明】
１・・・レーザ、３・・・光ピックアップ、４・・・ガラス原盤、１１・・・マルチプレクサ、１２・・・ＥＦＭ変調器、１３・・・データ発生器、１４・・・制御部
【図１】
2004152372.tif 000003
【図２】
2004152372.tif 000004
【図３】
2004152372.tif 000005
【図４】
2004152372.tif 000006
【図５】
2004152372.tif 000007
【図６】
2004152372.tif 000008
【図７】
2004152372.tif 000009
【図８】
2004152372.tif 000010
【図９】
2004152372.tif 000011
【図１０】
2004152372.tif 000012
【図１１】
2004152372.tif 000013